(57)【要約】    【課題】      装置の処理負荷の増大を抑えつつブランチ間位相差検出を行うことができる受信装置およびブランチ間位相差検出方法を提供すること。    【解決手段】  ブランチ間位相差検出指示部１０２は、リソース使用情報に基づいて、ブランチ間位相差検出を行うリソースを選択し、ブランチ間位相差τの検出の開始を指示する指示信号を、選択したリソースのブランチ間位相差検出部１０５−ｉに出力する。指示信号を受けたブランチ間位相差検出部１０５−ｉは、検出したブランチ間位相差τを同一リソースの受信処理部１０７−ｉ及びブランチ間位相差出力部１０６に出力する。ブランチ間位相差出力部１０６は、ブランチ間位相差τを他のリソースの受信処理部１０７−１〜１０７−Ｎに出力する。  【選択図】      図１
2006135880.tif 000002
【特許請求の範囲】
【請求項１】
空きリソース情報及びリソースの処理負荷情報からなるリソース使用情報に基づいてブランチ間位相差検出を行うリソースを選択し、前記選択したリソースにブランチ間位相差検出を開始するための指示信号を出力するブランチ間位相差検出指示手段と、前記ブランチ間位相差検出指示手段からの指示信号を受けてブランチ間位相差を検出するブランチ間位相差検出手段と、前記ブランチ間位相差検出手段から出力されたブランチ間位相差を他のリソースに出力するブランチ間位相差出力手段と、前記ブランチ間位相差出力手段から出力されたブランチ間位相差を全リソースのブランチ間位相差として使用する受信処理手段と、を具備することを特徴とする受信装置。
【請求項２】
前記ブランチ間位相差検出指示手段は、ブランチ間位相差検出を行うリソースとして、前記リソース使用情報の受信処理状況より空きリソースを選択する請求項１に記載の受信装置。
【請求項３】
前記ブランチ間位相差検出指示手段は、ブランチ間位相差検出を行うリソースとして、前記リソース使用情報のうちリソース処理負荷情報より負荷の一番小さいものを選択する請求項１に記載の受信装置。
【請求項４】
空きリソース情報及びリソースの処理負荷情報からなるリソース使用情報に基づいてブランチ間位相差検出を行うリソースを選択し、前記選択したリソースにブランチ間位相差検出を開始するための指示信号を出力するブランチ間位相差検出指示工程と、前記ブランチ間位相差検出指示工程からの指示信号を受けてブランチ間位相差を検出するブランチ間位相差検出工程と、前記ブランチ間位相差検出工程から出力されたブランチ間位相差を他のリソースに出力するブランチ間位相差出力工程と、前記ブランチ間位相差出力工程から出力されたブランチ間位相差を全リソースのブランチ間位相差として使用する受信処理工程と、を具備することを特徴とするブランチ間位相差検出方法。
【発明の詳細な説明】
【技術分野】
【０００１】
本発明は、無線受信装置のダイバーシチアンテナやアレイアンテナ等におけるブランチ間の受信信号遅延差を検出する受信装置およびブランチ間位相差検出方法に関する。
【背景技術】
【０００２】
従来のブランチ間位相差検出方法を用いる受信装置として、特許文献１に開示されたものがある。図４は、従来のブランチ間位相差検出方法を用いる受信装置の構成を示すブロック図である。図４において受信装置１０は、遅延プロファイル生成部１１及び１２と、ブランチ間位相差検出部１３と、受信処理部１４とから主に構成されている。
【０００３】
遅延プロファイル生成部１１は、第１ブランチ受信信号の遅延プロファイルを生成し、生成した第１ブランチ遅延プロファイル信号をブランチ間位相差検出部１３及び受信処理部１４に出力する。第１ブランチ受信信号は、アンテナ１で受信され、受信フィルタを通過し、Ａ／Ｄ変換されたディジタル信号である。遅延プロファイル生成部１２は、第２ブランチ受信信号の遅延プロファイルを生成し、生成した第２ブランチ遅延プロファイル信号をブランチ間位相差検出部１３及び受信処理部１４に出力する。第２ブランチ受信信号は、アンテナ２で受信され、受信フィルタを通過し、Ａ／Ｄ変換されたディジタル信号である。
【０００４】
ブランチ間位相差検出部１３は、第１ブランチ遅延プロファイル信号の最大ピークと、第２ブランチ遅延プロファイル信号の最大ピークとのブランチ間位相差τを検出する機能を有する。ブランチ間位相差τの検出方法としては、第１ブランチ遅延プロファイル信号及び第２ブランチ遅延プロファイル信号についてそれぞれの最大ピークを検出し、検出した最大ピーク同士の位相差を測定周期毎に求め、平均化することにより算出する方法等がある。
【０００５】
受信処理部１４は、ブランチ間位相差検出部１３から出力されたブランチ間位相差τだけ第１遅延プロファイル信号を第２遅延プロファイル信号と同位相となるように遅延させ、同位相となった各遅延プロファイル信号を合成し、合成した遅延プロファイルについてパスサーチを行い、検出したパス位相で逆拡散処理を行い、逆拡散によって分離された各パス毎に伝搬路で受けた位相変動分を推定、除去した後に、Ｒａｋｅ合成することにより復調処理を行い、受信データを出力する。
【０００６】
このように、従来のブランチ間位相差検出方法を用いる受信装置においては、ブランチ間位相差に応じて第１遅延プロファイル信号を、第２遅延プロファイル信号と同位相になるように遅延させることにより、受信フィルタの遅延特性のばらつき等に起因するブランチ間位相差の影響を軽減して、遅延プロファイルを合成している。
【特許文献１】特開２００２−１１１５６２号公報（［００４７］〜［００５２］）
【発明の開示】
【発明が解決しようとする課題】
【０００７】
しかしながら、従来のブランチ間位相差検出方法を基地局装置など複数の受信リソースが存在する装置へ適用した場合には、受信リソース毎にブランチ間位相差検出処理を行うため、装置の処理負荷を増大させるという問題がある。
【０００８】
本発明はかかる点に鑑みてなされたものであり、装置の処理負荷の増大を抑えつつブランチ間位相差検出を行うことができる受信装置およびブランチ間位相差検出方法を提供することを目的とする。
【課題を解決するための手段】
【０００９】
かかる課題を解決するため本発明の受信装置は、空きリソース情報及びリソースの処理負荷情報からなるリソース使用情報に基づいてブランチ間位相差検出を行うリソースを選択し、前記選択したリソースにブランチ間位相差検出を開始するための指示信号を出力するブランチ間位相差検出指示手段と、前記ブランチ間位相差検出指示手段からの指示信号を受けてブランチ間位相差を検出するブランチ間位相差検出手段と、前記ブランチ間位相差検出手段から出力されたブランチ間位相差を他のリソースに出力するブランチ間位相差出力手段と、前記ブランチ間位相差出力手段から出力されたブランチ間位相差を全リソースのブランチ間位相差として使用する受信処理手段と、を備えた構成を採る。
【００１０】
本発明のブランチ間位相差検出方法は、空きリソース情報及びリソースの処理負荷情報からなるリソース使用情報に基づいてブランチ間位相差検出を行うリソースを選択し、前記選択したリソースにブランチ間位相差検出を開始するための指示信号を出力するブランチ間位相差検出指示工程と、前記ブランチ間位相差検出指示工程からの指示信号を受けてブランチ間位相差を検出するブランチ間位相差検出工程と、前記ブランチ間位相差検出工程から出力されたブランチ間位相差を他のリソースに出力するブランチ間位相差出力工程と、前記ブランチ間位相差出力工程から出力されたブランチ間位相差を全リソースのブランチ間位相差として使用する受信処理工程と、を具備する方法を採る。
【発明の効果】
【００１１】
本発明によれば、リソース使用情報に基づいて選択されたリソースだけがブランチ間位相差検出を行い、他のリソースは選択されたリソースのブランチ間位相差検出によって検出されたブランチ間位相差τを各自のブランチ間位相差τとして使用することにより、すべてのリソースにおいてブランチ間位相差検出を行う必要がないため、装置の処理負荷の増大を抑えることが可能となる。
【発明を実施するための最良の形態】
【００１２】
以下、本発明の実施の形態について図面を参照して詳細に説明する。
【００１３】
（一実施の形態）
図１は、本発明の一実施の形態に係る受信装置の構成を示すブロック図である。図１において、受信装置１００は、リソース使用情報記憶部１０１と、ブランチ間位相差検出指示部１０２と、遅延プロファイル生成部１０３−１〜１０３−Ｎ及び１０４−１〜１０４−Ｎと、ブランチ間位相差検出部１０５−１〜１０５−Ｎと、ブランチ間位相差出力部１０６と、受信処理部１０７−１〜１０７−Ｎとから主に構成されている。
【００１４】
リソース使用情報記憶部１０１は、受信装置内のリソース管理を行うリソース管理部から出力されるリソースの使用情報をリソース番号と対応付けて記憶し、ブランチ間位相差が発生し得るタイミングでリソース使用情報をブランチ間位相差検出指示部１０２に出力する。リソース使用情報としては、受信処理状況、処理負荷情報等がある。処理負荷は、送信処理等、受信処理以外の処理についての負荷も含まれる。
【００１５】
図２及び図３は、リソース使用情報を示す一例で、各リソースと各リソースの受信処理状況及び処理負荷情報の対応関係を示す図である。図２は、リソース１のみが空きリソースで、他のリソースは使用中である場合の例である。図３は、全てのリソースが使用中である場合の例である。空きリソースとは、いずれのチャネルの受信処理も行っていないリソースをいう。
【００１６】
ブランチ間位相差検出指示部１０２は、リソース使用情報をもとに、ブランチ間位相差検出を行うリソースを選択する。ブランチ間位相差検出を行うリソースの選択方法としては、リソース使用情報のうちの受信処理状況より、空きリソースを選択する方法がある。例えば、図２の場合には、リソース１が空きリソースであることから、ブランチ間位相差検出指示部１０２は、ブランチ間位相差検出を行うリソースとしてリソース１を選択する。また、リソース使用情報の各リソースの処理負荷情報を比較し、処理負荷の一番小さいリソースを、ブランチ間位相差検出を行うリソースとして選択する方法もある。例えば、図３に示すように全リソースが使用中である場合には、各リソースの処理負荷を比較した結果、リソース３の処理負荷が最も小さいことから、ブランチ間位相差検出指示部１０２は、ブランチ間位相差検出を行うリソースとしてリソース３を選択する。以下、ブランチ間位相差検出指示部１０２にて選択されたリソースをｉ（ｉは１からＮまでの自然数）とする。
【００１７】
さらに、ブランチ間位相差検出指示部１０２は、ブランチ間位相差τの検出の開始を指示する指示信号を、選択したリソースのブランチ間位相差検出部１０５−ｉに出力する。また、ブランチ間位相差検出指示部１０２は選択したリソースに関する情報、例えばリソース番号等の情報をブランチ間位相差出力部１０６に出力する。
【００１８】
遅延プロファイル生成部１０３−１〜１０３−Ｎは、第１ブランチ受信信号の遅延プロファイルを生成し、生成した第１ブランチ遅延プロファイル信号を各リソースのブランチ間位相差検出部１０５−１〜１０５−Ｎおよび各リソースの受信処理部１０７−１〜１０７−Ｎに出力する。第１ブランチ受信信号は、アンテナ１で受信され、受信フィルタを通過し、Ａ／Ｄ変換されたディジタル信号である。
【００１９】
遅延プロファイル生成部１０４−１〜１０４−Ｎは、第２ブランチ受信信号の遅延プロファイルを生成し、生成した第２ブランチ遅延プロファイル信号を各リソースのブランチ間位相差検出部１０５−１〜１０５−Ｎおよび各リソースの受信処理部１０７−１〜１０７−Ｎに出力する。第２ブランチ受信信号は、アンテナ２で受信され、受信フィルタを通過し、Ａ／Ｄ変換されたディジタル信号である。
【００２０】
ブランチ間位相差検出部１０５−１〜１０５−Ｎは、第１ブランチ遅延プロファイル信号の最大ピークと、第２ブランチ遅延プロファイル信号の最大ピークとのブランチ間位相差τを検出する機能を有する。ブランチ間位相差τの検出方法としては、第１ブランチ遅延プロファイル信号及び第２ブランチ遅延プロファイル信号についてそれぞれの最大ピークを検出し、検出した各最大ピーク同士の位相差を測定周期毎に求め、平均化することにより算出する方法等がある。
【００２１】
ブランチ間位相差検出指示部１０２から出力される指示信号を受けたブランチ間位相差検出部１０５−ｉは検出したブランチ間位相差τを同一リソースの受信処理部１０７−ｉ及びブランチ間位相差出力部１０６に出力する。なお、指示信号が入力されないリソースのブランチ間位相差検出部１０５−１〜１０５−Ｎは、ブランチ間位相差検出を行わない。
【００２２】
ブランチ間位相差出力部１０６は、ブランチ間位相差検出部１０５−ｉから出力されたブランチ間位相差τを、他のリソースの受信処理部１０７−１〜１０７−Ｎに出力する。他のリソースとは、ブランチ間位相差検出指示部１０２から指示信号が入力されず、ブランチ間位相差検出を行わなかったリソースをいう。
【００２３】
受信処理部１０７−１〜１０７−Ｎは、ブランチ間位相差τだけ第１遅延プロファイル信号を第２遅延プロファイル信号と同位相となるように遅延させ、同位相となった各遅延プロファイル信号を合成し、合成した遅延プロファイルについてパスサーチを行い、検出したパス位相で逆拡散処理を行い、逆拡散によって分離された各パス毎に伝搬路で受けた位相変動分を推定、除去した後に、Ｒａｋｅ合成することにより復調処理を行い、受信データを出力する。
【００２４】
このように本実施の形態によれば、リソース使用情報に基づいて選択されたリソースだけがブランチ間位相差検出を行い、他のリソースは選択されたリソースのブランチ間位相差検出によって検出されたブランチ間位相差τを各自のブランチ間位相差τとして使用することにより、すべてのリソースにおいてブランチ間位相差検出を行う必要がないため、装置の処理負荷の増大を抑えることが可能となる。
【産業上の利用可能性】
【００２５】
本発明は、無線受信装置のダイバーシチアンテナやアレイアンテナ等におけるブランチ間の受信信号遅延差を検出するブランチ間位相差検出装置に用いるのに好適である。
【図面の簡単な説明】
【００２６】
【図１】本発明の一実施の形態における受信装置の構成を示すブロック図
【図２】本発明におけるリソース使用情報の一例を示す図
【図３】本発明におけるリソース使用情報の一例を示す図
【図４】従来の受信装置の構成を示すブロック図
【符号の説明】
【００２７】
１００  受信装置
１０１  リソース使用情報記憶部
１０２  ブランチ間位相差検出指示部
１０３−１〜１０３−Ｎ  遅延プロファイル生成部
１０４−１〜１０４−Ｎ  遅延プロファイル生成部
１０５−１〜１０５−Ｎ  ブランチ間位相差検出部
１０６  ブランチ間位相差出力部
１０７−１〜１０７−Ｎ  受信処理部
【図１】
2006135880.tif 000003
【図２】
2006135880.tif 000004
【図３】
2006135880.tif 000005
【図４】
2006135880.tif 000006